(57)【要約】【課題】灯器具から外れることなく照射光の照射範囲を変更することができるＬＥＤランプを提供する。【解決手段】ランプ本体５などのランプ本体と、前記ランプ本体内に配置されたＬＥＤ１２ａ、１２ｂなどの発光素子と、前記ランプ本体の長手方向に沿って伸び前記ランプ本体を覆うように配置された透光性のカバー３などの外装と、前記外装の両端に配置され照明器具１５０などの灯器具から前記ランプ本体への給電が可能に構成された一対の口金１ａ、１ｂなどの口金とを有するＬＥＤランプにおいて、前記口金は前記外装に固設され、前記ランプ本体を前記口金に対し軸心周りに相対的に回転可能にする機構を有し、前記外装の外から前記ランプ本体の回転移動を操作するための回転操作部材２１などの操作手段を設けた。【選択図】図６
2016139500.tif 000002
【特許請求の範囲】
【請求項１】
ランプ本体と、
前記ランプ本体内に配置された発光素子と、
前記ランプ本体の長手方向に沿って伸び前記ランプ本体を覆うように配置された透光性の外装と、
前記外装の両端に配置され灯器具から前記ランプ本体への給電が可能に構成された一対の口金とを有するＬＥＤランプにおいて、
前記口金は前記外装に固設され、前記ランプ本体を前記口金に対し軸心周りに相対的に回転可能にする機構を有し、前記外装の外から前記ランプ本体の回転移動を操作するための操作手段を設けたことを特徴とするＬＥＤランプ。
【請求項２】
請求項１に記載のＬＥＤランプにおいて、
前記回転可能にする機構が、前記一対の口金と前記ランプ本体の両端との間にそれぞれ回転軸によって連結させたものであることを特徴とするＬＥＤランプ。
【請求項３】
請求項１に記載のＬＥＤランプにおいて、
前記回転可能にする機構が、前記ランプ本体の前記口金に対する相対的な回転をガイドするガイド部材を前記ランプ本体の端部と前記ランプ本体の端部に対向する前記口金の面とにそれぞれ設けたものであることを特徴とするＬＥＤランプ。
【請求項４】
請求項１乃至３のいずれか一のＬＥＤランプにおいて、
前記操作手段は、前記ランプ本体に設けられ先端部を前記口金もしくは前記外装に形成された孔から突出させた操作部材であることを特徴とするＬＥＤランプ。
【請求項５】
ＬＥＤランプと、
該ＬＥＤランプを装着する灯器具とを有する照明装置において、
前記ＬＥＤランプとして、請求項１乃至４のいずれか一のＬＥＤランプを用いたことを特徴とする照明装置。
【発明の詳細な説明】
【技術分野】
【０００１】
本発明は、ＬＥＤランプ及び照明装置に関するものである。
【背景技術】
【０００２】
従来、ＬＥＤ（Ｌｉｇｈｔ  Ｅｍｉｔｔｉｎｇ  Ｄｉｏｄｅ）ランプとして、ＬＥＤや電源基板等を備えたランプ本体、上記ランプ本体を覆う透光性のケース、灯器具からの給電を受ける端子を備え上記ケースの両端に配置された一対の口金を有するものが知られている。
【０００３】
特許文献１には、係るＬＥＤランプであって、ランプ本体と透光性のケースとをＬＥＤユニットとして一体に構成し、上記ＬＥＤユニットを口金に対し相対的に回転可能にしたものが記載されている。具体的には、上記ランプ本体と上記口金とを回転軸によって回転可能に連結し、上記口金の外周の端縁と上記ケースの内周の端縁とを回転可能に嵌合させている。ＬＥＤからの出射光は比較的指向性が強いが、上記ＬＥＤユニットを上記口金に対し回転させることでＬＥＤランプの照射光の照射範囲を変えることができるとしている。
【発明の概要】
【発明が解決しようとする課題】
【０００４】
ＬＥＤランプが灯器具に設置された状態で上記口金が回転すると、ＬＥＤランプが灯器具から外れる。特許文献１に記載のＬＥＤランプでは、照射範囲を変えるために上記ケースを手で持って上記ＬＥＤユニットを上記口金に対し回転させる際に、上記ケースが、上記ＬＥＤユニットを回転させる方向とは異なる方向の力を受ける場合がある。このような場合に、上記口金の外周の端縁と上記ケースの内周の端縁とを嵌合させている箇所での回転摺動がスムーズになされず、上記口金が上記ケースとともに回転してしまいＬＥＤランプが灯器具から外れてしまうおそれがあった。
【課題を解決するための手段】
【０００５】
上述した課題を解決するために、本発明は、ランプ本体と、前記ランプ本体内に配置された発光素子と、前記ランプ本体の長手方向に沿って伸び前記ランプ本体を覆うように配置された透光性の外装と、前記外装の両端に配置され灯器具から前記ランプ本体への給電が可能に構成された一対の口金とを有するＬＥＤランプにおいて、前記口金は前記外装に固設され、前記ランプ本体を前記口金に対し軸心周りに相対的に回転可能にする機構を有し、前記外装の外から前記ランプ本体の回転移動を操作するための操作手段を設けたことを特徴とするものである。
【発明の効果】
【０００６】
灯器具から外れることなく照射光の照射範囲を変更することができる。
【図面の簡単な説明】
【０００７】
【図１】照明装置の外観を示す分解斜視図。
【図２】同照明装置における直管形ＬＥＤランプの概略構成を示す分解斜視図。
【図３】同直管形ＬＥＤランプにおける筐体の平坦部の内側の概略構成を示す斜視図。
【図４】同直管形ＬＥＤランプの照明器具への設置方法を説明する図。
【図５】同直管形ＬＥＤランプを照明器具に固定するための機構について説明する図。
【図６】同直管形ＬＥＤランプの照射範囲を変更するための機構の一例について説明する図。
【図７】同直管形ＬＥＤランプの照射範囲を変更する動作について説明する図。
【図８】同直管形ＬＥＤランプの照射範囲を変更するための機構の変形例について説明する図。
【発明を実施するための形態】
【０００８】
以下、本発明の一実施形態を図を参照して説明する。
図１は、照明装置２００の外観を示す分解斜視図である。
照明装置２００は、直管形ＬＥＤランプ１００と、直管形ＬＥＤランプ１００を装着する照明器具（灯器具）１５０とを備えている。照明器具１５０は、主に屋内に広く用いられている一般用蛍光灯照明器具と同じものである。照明器具１５０は、後述の直管形ＬＥＤランプ１００の口金１ａ、１ｂに備えられた給電用の端子を差し込むためのソケット１５１ａ、１５１ｂを備えている。商用交流電源から供給される電力がソケット１５１ａ、１５１ｂから上記端子を介して直管形ＬＥＤランプ１００に供給されると、直管形ＬＥＤランプ１００が点灯する。
【０００９】
図２は、直管形ＬＥＤランプ１００の概略構成を示す分解斜視図である。
図２に示すように、直管形ＬＥＤランプ１００は、ランプ本体５と、ランプ本体５を覆うように配置された円形で透光性のカバー３と、カバー３の両端に配置された一対の口金１ａ、１ｂとから構成されている。口金１ａは、カバー３に固設され、ランプ本体５に給電するための一対の端子４を備えている。
【００１０】
ランプ本体５は、断面が半円形で筒状の筐体２、実装基板としてのＬＥＤ基板１１、ＥＬ効果を持つ半導体発光素子（光源）の一例としてのＬＥＤ１２ａ、１２ｂなどを備えている。筐体２は、熱伝導率の大きい金属材料で形成されている。筐体２の平坦部上には、ＬＥＤ基板１１が粘着性を有するシート１０を介して固定されている。ＬＥＤ基板１１は細長い長方形状のプリント基板であり、ＬＥＤ基板１１ａとＬＥＤ基板１１ｂとから構成されている。ＬＥＤ基板１１ａ、１１ｂにはそれぞれ、ＬＥＤ１２ａ、１２ｂが筐体２の長手方向に所定の間隔で複数実装されている。
【００１１】
図３は、筐体２の平坦部の内側の概略構成を示す斜視図である。
図３に示すように、筐体２の平坦部の内側には、筐体２の長手方向に延びる細長い長方形状の電源基板７が配置されており、その実装面には直流電源変換用の電子部品９が長手方向に間隔をおいて複数搭載されている。電源基板７は、クランプ１５で筐体２に固定されている。電源基板７と口金１ａ、１ｂの端子４とはリード線６で接続され、リード線６を介して照明器具１５０から給電される商業用電流が電源基板７に供給される。
【００１２】
電源基板７に供給された電流（商業用電流）は、電源基板７に搭載された電子部品９によって交流から直流に整流される。電源基板７とＬＥＤ基板１１ａ、１１ｂとはリード線で接続され、電源基板７で整流された直流電流がＬＥＤ基板１１ａ、１１ｂに供給される。
【００１３】
図４は、直管形ＬＥＤランプ１００の照明器具１５０への設置方法を説明する図である。
図４（ａ）のように、直管形ＬＥＤランプ１００を図中矢印Ａの向きに移動させて、ソケット１５１ａ、１５１ｂに直管形ＬＥＤランプ１００の端子４を嵌める。直管形ＬＥＤランプ１００の端子４を挿入できるように、ソケット１５１ａ、１５１ｂには後述する溝が設けられている。ソケット１５１ａ、１５１ｂに直管形ＬＥＤランプ１００の端子４が嵌ったところで、図４（ｂ）のように、カバー３を手で持って直管形ＬＥＤランプ１００を図中矢印Ｂの向きに回転させる。これにより、直管形ＬＥＤランプ１００を照明器具１５０に固定できる。
【００１４】
図５は、設置の際に直管形ＬＥＤランプ１００を照明器具１５０に固定するための機構について説明する図である。
ソケット１５１ａ、１５１ｂは、回転可能な回転部分１５３を有している。回転部分１５３には、端子４の位置合わせのための位置合わせ溝１５４が形成されている。また、ソケット１５１ａの端部には、進入溝１５２が形成されている。
【００１５】
直管形ＬＥＤランプ１００の設置前には、図５（ａ）に示すように、ソケット１５１ａの端部の進入溝１５２と回転部分１５３の位置合わせ溝１５４とが一直線上に揃っている。図５（ｂ）に示すように、図中矢印Ａの向きに口金１ａの端子４を一直線上に揃った溝に進入させる。図５（ｃ）に示すように、端子４が回転部分１５３の差込口の位置に来たところで直管形ＬＥＤランプ１００を図中矢印Ｂの向きに回転させると、ソケット１５１ａ、１５１ｂの回転部分１５３が直管形ＬＥＤランプ１００と一体となって回転する。これにより、図５（ｄ）に示すように、直管形ＬＥＤランプ１００が照明器具１５０に固定される。
【００１６】
次に、本実施形態の特徴部である、直管形ＬＥＤランプ１００の照射範囲を変更するための機構について説明する。
図６は、直管形ＬＥＤランプ１００の照射範囲を変更するための機構の一例について説明する図である。
図６（ａ）は直管形ＬＥＤランプ１００の斜視図、図６（ｂ）は直管形ＬＥＤランプ１００の正面図（便宜上、口金１ａの表記は省略）、図６（ｃ）は直管形ＬＥＤランプ１００の断面図（図６（ａ）のＡ−Ａ断面）をそれぞれ示す。ランプ本体５は、両端に配置された円筒状の軸部材２０を回転軸として、口金１ａ、１ｂに対し相対的に回転可能になっている。上記回転軸は口金１ａ、１ｂの中心軸と一致している。
【００１７】
口金１ａ、１ｂの、端子４がある面の裏側の面には、軸部材２０を回転可能に支持する口金側支持部２２が設けられている。筐体２の両端には回転支持部材１９が取り付けられている。回転支持部材１９には、軸部材２０を回転可能に支持するランプ本体側支持部２３が設けられている。軸部材２０は、口金側支持部２２およびランプ本体側支持部２３に嵌入されている。
【００１８】
口金１ａ側にある回転支持部材１９には、ユーザーがカバー３の外からランプ本体５を口金１ａ、１ｂに対し相対回転させるための回転操作部材２１が取り付けられている。上記口金１ａ側にある回転支持部材１９と回転操作部材２１とを一体に構成してもよい。口金１ａには、回転操作部材２１の移動をガイドするガイド溝２４が設けられている。回転操作部材２１はガイド溝２４から口金１ａの外に突出している。
【００１９】
ガイド溝には、回転操作部材２１の回転移動をガイドする回転ガイド部２４ｂと回転支持部材１９の位置を適当なところに維持する位置止め部２４ａとを備えている。ガイド溝２４において、回転操作部材２１が位置止め部２４ａの方に付勢されるようにするため、口金側支持部２２と軸部材２０との間にバネなどの弾性部材２５を設けるようにしてもよい。弾性部材２５の弾性力により軸部材２０が回転支持部材１９の方に付勢され、軸部材２０が回転支持部材１９を押圧する。これにより、回転支持部材１９に設けられた回転操作部材２１がガイド溝２４の位置止め部２４ａの方に付勢される。
【００２０】
図７は、直管形ＬＥＤランプ１００の照射範囲を変更する動作について説明する図である。
照射範囲を、例えば、図７（ａ）の図中Ｄで示す領域から図７（ｂ）の図中Ｅで示す領域に変更したいとする。回転操作部材２１はガイド溝２４の位置止め部２４ａの方に付勢されているので、図７（ａ）に示す状態では、照射範囲が図中Ｄで示す領域で維持されている。
【００２１】
まず、図７（ａ）に示す状態から、ユーザーが手で回転操作部材２１を図中矢印Ｆに示す向きに移動させ、回転操作部材２１が回転ガイド部２４ｂの位置にくるようにする。これにより、回転操作部材２１が回転移動できるようになる。回転操作部材２１を図中矢印Ｃに示す方向に回転させると、図７（ｂ）に示すように照射範囲が図中Ｅで示す領域になる。回転操作部材２１から手を離せば、弾性部材２５の弾性力によって回転操作部材２１はガイド溝２４の位置止め部２４ａの方に付勢されるので、照射範囲を図中Ｅで示す領域に維持できる。
【００２２】
[変形例]
次に、本実施形態の直管形ＬＥＤランプ１００の照射範囲を変更するための機構の変形例について説明する。
図８は、直管形ＬＥＤランプ１００の照射範囲を変更するための機構の変形例について説明する図である。
図８（ｃ）に示すように、筐体２の両端には回転溝２７が形成されている。また、口金１ａ、１ｂの、端子４がある面の裏側の面には、口金１ａ、１ｂの中心軸を中心とする円形になるようにレール２６が敷かれている。筐体２の回転溝２７はレール２６と嵌合しており、回転溝２７がレール２６に沿って移動することで、ランプ本体５を口金１ａ、１ｂに対して相対的に回転できる。なお、口金１ａ、１ｂに回転溝２７を形成し、筐体２にレール２６を設けるようにしてもよい。
【００２３】
ランプ本体５の回転操作は図６において説明したのと同様で、回転操作部材２１によって行う。図６において説明したのと同様に、口金１ａには、回転操作部材２１の移動をガイドするガイド溝２４が設けられている。回転操作部材２１はヒンジ２８によって筐体２に取り付けられ、図８（ｃ）の図中矢印Ｇの向きに移動できる。維持させるときは回転操作部材２１を位置止め部２４ａの方に倒せばよい。
【００２４】
なお、本実施形態では、ランプ本体５を口金１ａ、１ｂに対して相対的に回転させるための操作機構は、ユーザーが回転操作部材２１を手で持って操作を行うものとしたがこれに限るものではない。例えば、回転操作部材２１の操作を自動で行うコントロールユニットを直管形ＬＥＤランプ１００に外付けし、上記コントロールユニットをユーザーがリモコンで遠隔操作するようにしてもよい。このようにすると、直管形ＬＥＤランプ１００が高い位置に取り付けられた灯器具に設置されていて、ユーザーの手が回転操作部材２１に届かない場合でも直管形ＬＥＤランプ１００の照射光の照射範囲を変更できる。また、上記コントロールユニットを直管形ＬＥＤランプ１００に外付けするようにしたことで、直管形ＬＥＤランプ１００の交換の際に容易に着脱することができる。
【００２５】
以上に説明したものは一例であり、本発明は、次の態様毎に特有の効果を奏する。
（態様Ａ）
ランプ本体５などのランプ本体と、前記ランプ本体内に配置されたＬＥＤ１２ａ、１２ｂなどの発光素子と、前記ランプ本体の長手方向に沿って伸び前記ランプ本体を覆うように配置された透光性のカバー３などの外装と、前記外装の両端に配置され照明器具１５０などの灯器具から前記ランプ本体への給電が可能に構成された一対の口金１ａ、１ｂなどの口金とを有するＬＥＤランプにおいて、前記口金は前記外装に固設され、前記ランプ本体を前記口金に対し軸心周りに相対的に回転可能にする機構を有し、前記外装の外から前記ランプ本体の回転移動を操作するための回転操作部材２１などの操作手段を設けた。
ＬＥＤランプが灯器具に設置された状態で上記口金が回転すると、ＬＥＤランプが灯器具から外れる。上記口金は上記外装に固設し、上記操作手段によって上記ランプ本体のみを上記口金に対して軸心周りに相対的に回転するようにしたので、ＬＥＤランプの照射範囲を変更する際に上記外装は回転しない。これにより、ＬＥＤランプの照射光の照射範囲を変更する際に上記口金が上記外装と一緒に回転してしまうことはないので、ＬＥＤランプが灯器具から脱離することもない。
【００２６】
（態様Ｂ）
態様Ａにおいて、前記回転可能にする機構が、前記一対の口金と前記ランプ本体の両端との間にそれぞれ回転軸によって連結させたものである。
【００２７】
（態様Ｃ）
態様Ａにおいて、前記回転可能にする機構が、前記ランプ本体の前記口金に対する相対的な回転をガイドするガイド部材を前記ランプ本体の端部と前記ランプ本体の端部に対向する前記口金の面とにそれぞれ設けたものである。
【００２８】
（態様Ｄ）
態様Ａ〜Ｃにおいて、前記操作手段は、前記ランプ本体に設けられ先端部を前記口金もしくは前記外装に形成された孔から突出させた操作部材である。
【００２９】
（態様Ｅ）
ＬＥＤランプと、該ＬＥＤランプを装着する灯器具とを有する照明装置において、前記ＬＥＤランプとして、態様Ａ〜Ｄのいずれか一のＬＥＤランプを用いた。
【符号の説明】
【００３０】
１ａ、１ｂ  口金
３  カバー
５  ランプ本体
１２ａ、１２ｂ  ＬＥＤ
２１  回転操作部材
１５０  照明器具
【先行技術文献】
【特許文献】
【００３１】
【特許文献１】特開２０１４−０３８８５３号公報
【図１】
2016139500.tif 000003
【図２】
2016139500.tif 000004
【図３】
2016139500.tif 000005
【図４】
2016139500.tif 000006
【図５】
2016139500.tif 000007
【図６】
2016139500.tif 000008
【図７】
2016139500.tif 000009
【図８】
2016139500.tif 000010